(57)【要約】【課題】電動モータの回転軸がラジアルフォイル軸受から浮上する浮上点回転数以下の時に吐出される小さい吐出量の圧縮気体を、必要なときに安定して供給できるようにする。【解決手段】電動圧縮装置１のインペラ１１の回転により気体を取入れる吸込口１３と、インペラ１１の回転により圧縮した圧縮気体を吐出する吐出流路１４との間を繋ぐ循環流路１６と、循環流路に備えた弁１７と、回転軸７ａ，７ｂの回転数を検出する回転数検出器１８と、回転数検出器１８で検出される回転数に基づいて弁１７の開閉を制御する制御器２０を有し、制御器２０は、回転軸７ａ，７ｂがラジアルフォイル軸受８ａ，８ｂから浮上する回転数で回転した状態において、回転軸７ａ，７ｂがラジアルフォイル軸受８ａ，８ｂから浮上する浮上点回転数によって吐出される圧縮気体の浮上点吐出量よりも更に小さい吐出量が要求された時に弁１７を開く制御を行う。【選択図】図１
2014001642.tif 000002
【特許請求の範囲】
【請求項１】
回転子と、該回転子と相互作用して回転子に回転モーメントを発生させる固定子と、前記回転子の回転を外部に伝える回転軸と、該回転軸を回転可能に支持するラジアルフォイル軸受と、前記回転軸と一体に回転するインペラと、該インペラの回転により気体を取入れる吸込口と、前記インペラの回転により圧縮した圧縮気体を吐出する吐出流路と、を有する電動圧縮装置であって、
前記吸込口と前記吐出流路とを繋ぐ循環流路と、
該循環流路に備えた弁と、前記回転軸の回転数を検出する回転数検出器と、前記回転数検出器で検出される回転数に基づいて前記弁の開閉を制御する制御器を有し、
前記制御器は、前記回転軸が前記ラジアルフォイル軸受から浮上する回転数で回転した状態において、前記回転軸がラジアルフォイル軸受から浮上する浮上点回転数によって吐出される圧縮気体の浮上点吐出量よりも更に小さい吐出量が要求された時に前記弁を開く制御を行うことを特徴とする電動圧縮装置。
【請求項２】
前記弁は流量調節弁であり、前記吐出流路には圧縮気体の吐出流量を検出する流量検出器が設けてあり、前記制御器は、前記回転軸が前記ラジアルフォイル軸受から浮上する回転数で回転した状態において、前記回転軸がラジアルフォイル軸受から浮上する浮上点回転数によって吐出される圧縮気体の浮上点吐出量よりも更に小さい吐出量が要求された時に要求指令の吐出量になるように前記流量調節弁を開く制御を行うことを特徴とする請求項１に記載の電動圧縮装置。
【請求項３】
請求項１又は２に記載の電動圧縮装置における前記吐出流路が、燃料電池の空気加湿器に接続されたことを特徴とする燃料電池用空気供給装置。
【発明の詳細な説明】
【技術分野】
【０００１】
本発明は、電動圧縮装置及び燃料電池用空気供給装置に関するものである。
【背景技術】
【０００２】
近年、燃料を燃焼させることなく、燃料電池を備えて、空気中の酸素と水素、アルコール等の燃料とを電気化学的に反応させて電力を発生させ、発生した電力により電動機を回転させて走行する燃料電池自動車の開発が進んでいる。燃料電池に空気を供給するための装置としては、回転子と固定子を有する電動モータと、該電動モータの回転子に固定した回転軸によりインペラを回転させて外部の空気を取り込んで圧縮する遠心圧縮機とを有する電動圧縮装置を備えて、該電動圧縮装置により圧縮した圧縮空気を空気供給系路を介して燃料電池の燃料電池スタックに供給するようにした燃料電池用空気供給装置が用いられる。
【０００３】
前記電動圧縮装置では、空気を所要の圧力に圧縮して燃料電池に供給するために、遠心圧縮機のインペラはおよそ数万回転／分以上という高速で回転される。そのため、電動モータの回転軸の軸受には、通常の転がり軸受等ではなく、フォイル軸受等を用いて、高速回転時に径方向の荷重を非接触の状態で支持することが行われている。
【０００４】
燃料電池では、水素と空気加湿器で加湿した空気とを燃料電池スタックに供給して電気化学反応により電力を発生させているが、燃料電池スタックに供給される空気及び水素に油などが混入すると、発電効率が大幅に低下することが知られており、このため、前記電動圧縮装置の電動モータには、回転軸の支持に油を用いないラジアルフォイル軸受、及び、アキシャルフォイル軸受又はアキシャル磁気軸受を用いることが行われている。
【０００５】
前記電動圧縮装置の電動モータの回転子を挟んで回転軸の両側に一対のラジアルフォイル軸受を設けて回転軸の径方向の荷重を非接触で支持し、固定子を挟んで回転軸と電動モータ本体との間に一対のアキシャル磁気軸受を設けて回転軸の軸長手方向の荷重を非接触で支持するようにした燃料電池用空気供給装置がある（例えば特許文献１参照）。
【０００６】
前記ラジアルフォイル軸受は、回転軸が貫通する孔の内面に、ごく薄い金属箔等からなる１枚の、または２枚以上のフォイルセグメントが取り付けられている。従って、前記ラジアルフォイル軸受では、支持する回転軸の回転数が所定値に達するまでは、前記フォイルセグメントが回転軸の外周面に直接に接触して前記回転軸を径方向から支持し、回転軸の回転数が所定値以上に達した後は、前記回転軸の外周面とフォイルセグメントとの間に発生する動圧によって、回転軸はその全周に亘ってフォイルセグメントの表面から浮上して非接触の状態で支持されるようになっている。
【先行技術文献】
【特許文献】
【０００７】
【特許文献１】特開２０１０−１６８９０４号公報
【発明の概要】
【発明が解決しようとする課題】
【０００８】
特許文献１に示すように、ラジアルフォイル軸受を有する電動圧縮装置では、停止状態から電動圧縮装置を起動した際に、回転軸が浮上回転速度（浮上回転数）まで達するまでには大きな駆動トルクが必要であり、回転軸が浮上点回転数に達した瞬間に急速に駆動トルク（動力）が低下することで回転軸が高速で回転するようになるため、過渡的な状況での安定した回転数制御が難しいという問題を有していた。尚、インペラを備えた遠心圧縮機においては、回転軸の回転数（インペラの回転数）に応じた吐出量の圧縮気体が得られるため、圧縮気体の吐出量も過渡的な状況での安定した制御は困難である。
【０００９】
前記燃料電池においては、前記電動圧縮装置の回転軸がラジアルフォイル軸受から浮上する浮上点回転数以下の時に吐出される圧縮空気のように小さい吐出量の圧縮空気が要求される場合があるが、従来の電動圧縮装置では、このような小さい吐出量の圧縮空気を安定して供給することはできなかった。
【００１０】
本発明は、上記従来の問題点に鑑みてなしたもので、電動モータの回転軸がラジアルフォイル軸受から浮上する浮上点回転数以下の時に吐出される小さい吐出量の圧縮気体を、必要なときに安定して供給できるようにした電動圧縮装置及び燃料電池用空気供給装置を提供しようとするものである。
【課題を解決するための手段】
【００１１】
本発明は、回転子と、該回転子と相互作用して回転子に回転モーメントを発生させる固定子と、前記回転子の回転を外部に伝える回転軸と、該回転軸を回転可能に支持するラジアルフォイル軸受と、前記回転軸と一体に回転するインペラと、該インペラの回転により気体を取入れる吸込口と、前記インペラの回転により圧縮した圧縮気体を吐出する吐出流路と、を有する電動圧縮装置であって、
前記吸込口と前記吐出流路とを繋ぐ循環流路と、
該循環流路に備えた弁と、前記回転軸の回転数を検出する回転数検出器と、前記回転数検出器で検出される回転数に基づいて前記弁の開閉を制御する制御器を有し、
前記制御器は、前記回転軸が前記ラジアルフォイル軸受から浮上する回転数で回転した状態において、前記回転軸がラジアルフォイル軸受から浮上する浮上点回転数によって吐出される圧縮気体の浮上点吐出量よりも更に小さい吐出量が要求された時に前記弁を開く制御を行うことを特徴とする電動圧縮装置、に係るものである。
【００１２】
上記電動圧縮装置において、前記弁は流量調節弁であり、前記吐出流路には圧縮気体の吐出流量を検出する流量検出器が設けてあり、前記制御器は、前記回転軸が前記ラジアルフォイル軸受から浮上する回転数で回転した状態において、前記回転軸がラジアルフォイル軸受から浮上する浮上点回転数によって吐出される圧縮気体の浮上点吐出量よりも更に小さい吐出量が要求された時に要求指令の吐出量になるように前記流量調節弁を開く制御を行うことが好ましい。
【００１３】
本発明は、前記電動圧縮装置における前記吐出流路が、燃料電池の空気加湿器に接続されたことを特徴とする燃料電池用空気供給装置、に係るものである。
【発明の効果】
【００１４】
本発明の電動圧縮装置及び燃料電池用空気供給装置によれば、回転軸がラジアルフォイル軸受から浮上する浮上点回転数以上の高い回転数で回転して大きい吐出量の圧縮気体が吐出されているときに、循環流路に備えた弁を開くことにより、前記回転軸がラジアルフォイル軸受から浮上する浮上点回転数によって吐出される圧縮気体の浮上点吐出量よりも更に小さい吐出量の圧縮気体を、必要なときに安定して供給できるという優れた効果を奏し得る。
【図面の簡単な説明】
【００１５】
【図１】（ａ）は本発明の電動圧縮装置の一実施例を示す概略構成図、（ｂ）は（ａ）に備えた流量調節弁に代えて開閉弁を備えた場合の概略構成図である。
【図２】ラジアルフォイル軸受に支持された回転軸の回転数と圧縮気体の吐出量が変化する状態を示した説明用線図である。
【図３】本発明の電動圧縮装置を有する燃料電池用空気供給装置を適用した燃料電池の一例を示すブロック図である。
【発明を実施するための形態】
【００１６】
以下、本発明の実施の形態を図示例と共に説明する。
【００１７】
図３は本発明の電動圧縮装置１を有する燃料電池用空気供給装置３を燃料電池３０に適用したブロック図であり、図３に示す燃料電池３０は、燃料電池スタック３１と、該燃料電池スタック３１から供給される電力を制御する電力制御器３２と、前記燃料電池スタック３１に水素を供給する高圧水素タンク３３及び水素ポンプ３４と、前記燃料電池スタック３１に圧縮空気を加湿して供給する空気加湿器３５と、燃料電池スタック３１及び電力制御器３２を冷却する冷却器３６とを備えている。そして、燃料電池スタック３１での水素と空気の電気化学反応によって電気を生成し電力制御器３２で制御された電力により自動車を走行させる電動機３７が駆動される。
【００１８】
前記電動圧縮装置１は、外部から空気を取り込んで圧縮しており、該電動圧縮装置１で圧縮した圧縮空気を、空気供給系路２を介して前記燃料電池３０の空気加湿器３５に供給することで燃料電池用空気供給装置３を構成している。
【００１９】
前記燃料電池３０では、高圧水素タンク３３の水素が水素ポンプ３４を介して燃料電池スタック３１に供給されると共に、燃料電池用空気供給装置３の電動圧縮装置１で空気を圧縮した圧縮空気が空気供給系路２を介して空気加湿器３５に供給されることにより加湿された空気となって燃料電池スタック３１に供給されており、燃料電池スタック３１での水素と加湿された空気の電気化学反応によって電気が生成される。
【００２０】
図１（ａ）は、本発明の電動圧縮装置の一実施例を示す概略構成図であり、図１（ａ）の電動圧縮装置１は、ケーシング２２の内部に、回転子４と、該回転子４と相互作用して回転子４に回転モーメントを発生させる固定子５とからなる電動モータ６を有しており、前記回転子４の軸方向の両側には回転軸７ａ，７ｂが備えてあり、一方の回転軸７ａには回転を外部に伝える出力軸７が備えられている。
【００２１】
前記回転軸７ａ，７ｂは、前記フォイルセグメントを備えたラジアルフォイル軸受８ａ，８ｂによって径方向の荷重が非接触で支持されており、又、前記回転軸７ａ，７ｂに固定した磁気ディスク９とケーシング２２に固定した電磁石９'とからなるアキシャル磁気軸受１０ａ，１０ｂによって回転軸７ａ，７ｂの軸長手方向の荷重が非接触で回転可能に支持されている。
【００２２】
前記出力軸７の外側端部にはインペラ１１が固定してあり、該インペラ１１の回転によりエアクリーナ１２を通った気体（空気）を吸込口１３から取入れて圧縮し、圧縮した圧縮空気を吐出流路１４から吐出する遠心圧縮機１５が構成されている。そして、前記遠心圧縮機１５の吐出流路１４から吐出された圧縮空気は、図３の空気供給系路２を介して燃料電池３０の空気加湿器３５に供給している。
【００２３】
図１（ａ）に示す遠心圧縮機１５は、前記吸込口１３と前記吐出流路１４とを繋ぐ循環流路１６を設け、該循環流路１６の途中に弁１７を備えている。図１（ａ）に示す弁１７は流量調節弁１７ａの場合を示している。
【００２４】
上記電動圧縮装置１において、前記回転軸７ａ，７ｂの回転数を検出する回転数検出器を設ける。図１（ａ）では前記遠心圧縮機１５のインペラ１１をカウントすることにより回転軸７ａ，７ｂの回転数を検出する回転数検出器１８を設けた場合を示しているが、回転軸７ａ，７ｂの回転数を検出するロータリエンコーダ等を備えてもよい。又、前記吐出流路１４から吐出される圧縮空気の吐出流量を検出する流量検出器１９を設けている。
【００２５】
そして、前記回転数検出器１８で検出した回転軸７ａ，７ｂの回転数１８ａと、前記流量検出器１９で検出した圧縮空気の吐出流量１９ａが入力される制御器２０を備えており、制御器２０には、前記回転軸７ａ，７ｂが前記ラジアルフォイル軸受８ａ，８ｂから浮上する浮上点回転数のときの浮上点吐出量よりも小さい吐出量が要求指令２１として入力されるようになっている。
【００２６】
前記制御器２０に、前記回転軸７ａ，７ｂが前記ラジアルフォイル軸受８ａ，８ｂから浮上する浮上点回転数のときの浮上点吐出量よりも小さい吐出量の要求指令２１が入力された際には、前記制御器２０は、圧縮気体の吐出流量が要求指令２１になるように制御信号２０'を流量制御弁１７ａに出力し、流量制御弁１７ａを開けてその開度を制御するようになっている。
【００２７】
又、図１（ａ）に示した流量調節弁１７ａに代えて、図１（ｂ）に示すように、開閉弁１７ｂを備えてもよい。図１（ｂ）は、電磁弁による開閉弁１７ｂを備えた場合を示している。
【００２８】
次に、上記実施例の作動を説明する。
【００２９】
図１に示す燃料電池自動車用の電動圧縮装置１は、燃料電池自動車の走行状態等に応じて低速から高速まで広い範囲で回転数が制御されることが多い。電動圧縮装置１において、特にラジアルフォイル軸受８ａ，８ｂのフォイルセグメントが回転軸７ａ，７ｂの外周面に直接に接触して回転軸７ａ，７ｂを径方向から支持した状態での回転（低速回転）が長く続くような制御が行われた場合には、前記フォイルセグメントが短期間で摩耗し、摩耗量が大きくなると、ラジアルフォイル軸受８ａ，８ｂによる回転軸７ａ，７ｂを浮上させるための特性が低下したり失われたりする可能性がある。
【００３０】
図２は前記電動圧縮装置１の回転軸７ａ，７ｂの回転が起動から所定の回転数まで上昇する際の回転軸７ａ，７ｂの回転数と圧縮気体の吐出量が変化する状態を示した説明用線図であり、図中、実線は回転数を示し、一点鎖線は吐出量を示している。電動モータ６により、停止状態の回転軸７ａ，７ｂの回転が起動されると、浮上点回転数Ｓ１に達するまでには大きな駆動トルクが必要であるために回転数は徐々に増加し行き、浮上点回転数Ｓ１に達して回転軸７ａ，７ｂが浮上した瞬間に駆動トルク（動力）が低下することで急速に高速で回転して所定の回転数Ｓ２に達する。遠心圧縮機１５では、インペラ１１の回転数に応じた圧縮空気の吐出量が得られるため、圧縮空気の吐出量は、図２の一点鎖線のように、回転軸７ａ，７ｂが浮上点回転数Ｓ１に達した時には浮上点吐出量Ｑ１となり、回転軸７ａ，７ｂが浮上点回転数Ｓ１以上の所定の回転数Ｓ２で回転する時には所定の吐出量Ｑ２となる。
【００３１】
前記回転軸７ａ，７ｂが浮上点回転数Ｓ１以上の回転数で回転しているときには、前記電動圧縮装置１は回転軸７ａ，７ｂの回転数に応じた吐出量の圧縮空気を吐出することができる。
【００３２】
尚、従来の電動圧縮装置では、図２において、前記回転軸７ａ，７ｂが前記ラジアルフォイル軸受８ａ，８ｂの浮上点回転数Ｓ１よりも高い所定の回転数Ｓ２で回転しているときに、前記回転軸７ａ，７ｂが浮上点回転数Ｓ１のときの浮上点吐出量Ｑ１よりも小さい吐出量の圧縮空気が要求されても、このような小さい吐出量の圧縮空気を供給することはできなかった。
【００３３】
これに対し、本発明では、前記回転軸７ａ，７ｂが浮上点回転数Ｓ１よりも高い所定の回転数Ｓ２で回転して所定の吐出量Ｑ２の圧縮空気を吐出しているときに、回転軸７ａ，７ｂが浮上する浮上点回転数Ｓ１のときの浮上点吐出量Ｑ１よりも小さい吐出量の要求指令２１が図１の制御器２０に入力された際には、制御器２０は前記流量調節弁１７ａを開く制御を行う。
【００３４】
流量調節弁１７ａが開けられると、吐出流路１４に吐出された圧縮空気の一部が循環流路１６を介してインペラ１１の吸込口１３に吸引されて循環するようになるため、空気供給系路２を介して図３の燃料電池３０の空気加湿器３５に供給される圧縮空気の供給量は減少する。
【００３５】
ここで、循環流路１６を介してインペラ１１の吸込口１３に循環する圧縮空気の循環量は、吐出流路１４に吐出される圧縮空気の圧力、インペラ１１による吸込口１３の圧力（負圧力）、循環流路１６の口径等の条件によって所定の値に安定する。
【００３６】
従って、回転軸７ａ，７ｂがラジアルフォイル軸受８ａ，８ｂから浮上する図２の浮上点回転数Ｓ１以上の高い回転数Ｓ２で回転して大きい吐出量Ｑ２の圧縮気体が吐出されているときに、弁１７を開くと、回転軸７ａ，７ｂがラジアルフォイル軸受８ａ，８ｂから浮上する浮上点回転数Ｓ１によって吐出される圧縮気体の浮上点吐出量Ｑ１よりも更に小さい吐出量Ｑ'の圧縮気体を、必要なときに安定して燃料電池３０の空気加湿器３５に供給することができる。又、図１の制御器２０により前記弁１７を閉じる制御を行うと、循環流路１６が閉じられることにより、図２に示すように、小さい吐出量Ｑ'の圧縮気体は所定の吐出量Ｑ２に復帰するようになる。
【００３７】
図１（ａ）に示すように前記弁１７が流量調節弁１７ａである場合には、流量調節弁１７ａの開度を調節して循環流路１６による圧縮気体の循環量を調節することにより、燃料電池３０の空気加湿器３５に供給する圧縮空気の供給量をある変化幅で調節することができる。
【００３８】
又、図１（ｂ）に示すように前記弁１７が開閉弁１７ｂである場合には、開閉弁１７ｂを開けることにより、循環流路１６を介して吐出流路１４の圧縮空気の一部がインペラ１１の吸込口１３に吸引されて循環するようになるので、燃料電池３０の空気加湿器３５に供給される圧縮空気の供給量は所定の値に減少する。
【００３９】
上記したように、弁１７を開けて、小さい吐出量Ｑ'の圧縮気体を燃料電池３０に供給する際は、循環流路１６を介してインペラ１１に循環する圧縮空気の温度は上昇することになるが、空気加湿器３５を介して燃料電池３０に供給される圧縮空気は温度が高いと発電効率が上昇するので、前記循環によって圧縮空気の温度が上昇することは有効である。
【００４０】
又、前記電動圧縮装置１を起動する際に、前記弁１７を開ける操作を行うと、遠心圧縮機１５のインペラ１１で圧縮されて吐出流路１４に吐出された圧縮気体が循環流路１６を通してインペラ１１の吸込口１３に循環されることにより、インペラ１１の吸込負荷が低減されることになるので、図２中破線Ａで示すように、回転軸７ａ，７ｂの回転数は従来に比して短い時間で浮上点回転数Ｓ１に到達するようになる。このように、回転軸７ａ，７ｂが浮上点回転数Ｓ１に到達するまでの時間が短縮されることにより、低速回転することでラジアルフォイル軸受８ａ，８ｂのフォイルセグメントが短期間に摩耗するという問題を低減することができる。
【００４１】
尚、本発明の電動圧縮装置及び燃料電池用空気供給装置は、上述の実施例にのみ限定されるものではなく、本発明の要旨を逸脱しない範囲内において種々変更を加え得ることは勿論である。
【符号の説明】
【００４２】
１  電動圧縮装置
３  燃料電池用空気供給装置
４  回転子
５  固定子
７ａ，７ｂ  回転軸
８ａ，８ｂ  ラジアルフォイル軸受
１１  インペラ
１３  吸込口
１４  吐出流路
１６  循環流路
１７  弁
１７ａ        流量調節弁
１８  回転数検出器
１８ａ        回転数
２０  制御器
２１  要求指令
３０  燃料電池
３５  空気加湿器
Ｑ１    浮上点吐出量
Ｑ２    所定の吐出量
Ｑ'      小さい吐出量
Ｓ１    浮上点回転数
Ｓ２    所定の回転数
【図１】
2014001642.tif 000003
【図２】
2014001642.tif 000004
【図３】
2014001642.tif 000005